(57)【特許請求の範囲】
【請求項１】
縦壁によって囲まれた取付部が複数設けられた敷物本体を有するとともに、上記各取付部のそれぞれに対して踏み板が着脱自在に取り付けられた敷物であって、
上記敷物本体は、隣り合う取付部の境目に沿って折り曲げ可能とされているとともに、上記各取付部の１の方向に延びる第１係合部が設けられており、
上記各踏み板には、上記各第１係合部に対応して、当該第１係合部と係合可能な第２係合部が設けられており、かつ、
上記敷物本体の非折り曲げ状態では、上記各踏み板は、上記縦壁によって拘束されて平面方向への移動が制限されているとともに、上記第１係合部と上記第２係合部との係合により厚み方向への移動が制限されており、
上記敷物本体を折り曲げた状態では、上記１の方向に対して、上記踏み板がスライド移動可能とされていることを特徴とする、敷物。
【請求項２】
隣り合う取付部の境目に設けられた縦壁と、これらの取付部のうちの少なくとも一方の取付部との間には、当該縦壁に沿って延びるとともに上記敷物本体の折り曲げを容易とする溝部が設けられている、請求項１に記載の敷物。
【請求項３】
上記第１係合部および上記第２係合部のうちの一方は、一様断面を有する凹溝であり、他方は、上記凹溝の断面形状に対応した一様断面を有する凸部である、請求項１または２に記載の敷物。
【請求項４】
上記凸部は、先端部側の断面の幅が、基端部側の断面の幅よりも大きくなされている、請求項３に記載の敷物。
【請求項５】
上記敷物本体は、四辺を有する矩形状であるとともに、その各辺には、互いに係合可能な構成とされた第３係合部および第４係合部の一方が設けられている、請求項１ないし４のいずれかに記載の敷物。
【請求項６】
上記踏み板は、表面に木目紋が現れた木材製である、請求項１ないし５のいずれかに記載の敷物。
【発明の詳細な説明】
【０００１】
【発明の属する技術分野】
本願発明は、敷物に関し、屋内外においてスノコなどとして使用するのに好適な敷物に関する。
【０００２】
【従来の技術】
スノコとして使用し得る敷物としては、従来より、たとえば図１１ないし図１３に示したようなものが一般的に使用されている。この図に示した敷物５は、全体として矩形状とされた敷物本体６に対して、たとえば木材により短冊状に形成された複数の踏み板７を、その幅方向に並ぶようにして取り付けた構成とされている。
【０００３】
敷物本体６は、図面上には明確に表れていないが、隣り合う２辺のそれぞれに、平面方向に突出する複数のループ部６０が一定間隔隔てて形成されており、残りの２辺のそれぞれに、ループ部６０に挿通可能な構成とされた複数の軸部６１が、下方側に突出するようにしてループ部６０と同様なピッチで形成されている。このため、図１１に示された敷物５は、複数枚の敷物５を隣り合う敷物５のループ部６０と軸部６１とが対応するようにして配置するとともに、隣り合う敷物５のうちの一方の敷物５のループ部６０に、他方の敷物５の軸部６１を挿通することによって敷物５どうし連結されるようになされている。そして、敷物本体６の下面には、図１２および図１３に良く表れているように下方に突出する複数の支持柱６２が、格子状に配列されるようにして複数形成されている。これらの支持柱６２のうちの少なくとも一部は、敷物本体６の表面側まで通じる貫通穴６３を有しており、これらの貫通穴６３を利用したボルト８締めによって踏み板が敷物本体に取り付けられている。
【０００４】
【発明が解決しようとする課題】
しかしながら、踏み板が適切に位置決めされた状態を維持しつつ、ボルト８締めによって踏み板７を敷物本体６に取り付けるのは困難であり、このような作業には熟練を要する。このため、上記構成の敷物５が多数枚が同時に使用され、敷物５自体が簡易に大量かつ安価に生産できることが当然に要求されることを考慮すれば、踏み板７を敷物本体６に取り付ける作業に熟練を要することは作業効率的にもコスト的にも相当に不利である。
【０００５】
本願発明は、上記した事情のもとで考え出されたものであって、スノコとして使用可能である敷物を、作業効率良く安価に提供することをその課題としている。
【０００６】
【発明の開示】
上記の課題を解決するため、本願発明では、次の技術的手段を講じている。すなわち、本願発明により提供される敷物は、縦壁によって囲まれた取付部が複数設けられた敷物本体を有するとともに、上記各取付部のそれぞれに対して踏み板が着脱自在に取り付けられた敷物であって、上記敷物本体は、隣り合う取付部の境目に沿って折り曲げ可能とされているとともに、上記各取付部の１の方向に延びる第１係合部が設けられており、上記各踏み板には、上記各第１係合部に対応して、当該第１係合部と係合可能な第２係合部が設けられており、かつ、上記敷物本体の非折り曲げ状態では、上記各踏み板は、上記縦壁によって拘束されて平面方向への移動が制限されているとともに、上記第１係合部と上記第２係合部との係合により厚み方向への移動が制限されており、上記敷物本体を折り曲げた状態では、上記１の方向に対して、上記踏み板がスライド移動可能とされていることを特徴としている。
【０００７】
上記構成によれば、通常の使用状態、すなわち敷物本体に踏み板が取り付けられ、敷物本体が折り曲げられていない状態では、踏み板の厚み方向および平面方向への移動が制限されて踏み板の良好な取り付け状態が維持されている。その一方で、本願発明に係る敷物は、敷物本体を折り曲げるという簡易な操作によって踏み板がスライド移動可能な構成とされていることから、踏み板の取り付けあるいは取り外しが容易に行える。このように、本願発明に係る敷物では、従来の敷物において作業効率を悪化させていた敷物本体に対する踏み板の取り付けを熟練を要さずとも容易に行え、作業効率が改善され、コスト的にも有利である。また、本願発明に係る敷物は、敷物本体に対する踏み板の取り付け、取り外しが容易であることから、敷物本体から踏み板を取り外して踏み板や敷物本体の洗浄を行うことを容易に行え、また洗浄が終了した後においては、敷物本体に対して再度容易に踏み板を取り付けることができる。
【０００８】
なお、敷物本体を折り曲げ容易とする構成としては、次のものが考えられる。すなわち、隣り合う取付部の境目に設けられた縦壁と、これらの取付部のうちの少なくとも一方の取付部との間に、当該縦壁に沿って延びるようにして溝部を設ける構成が考えられる。
【０００９】
好ましい実施の形態においては、上記第１係合部および上記第２係合部のうちの一方が一様断面を有する凹溝であるとともに、他方が上記凹溝の断面形状に対応した一様断面を有する凸部であり、また上記凸部は、先端部側の幅が基端部側の幅よりも大きくなされる。
【００１０】
上記構成では、凸部と凹溝との係合によって踏み板が敷物本体に取り付けられるようになされており、また凸部および凹溝のそれぞれが対応した一様断面を有することから、凸部や凹溝の延びる方向（１の方向）に対する踏み板のスライド移動が許容されている。そして、凸部の先端部側の幅が基端部側の幅よりも大きくなされていることから、凸部と凹溝が係合した状態では、踏み板の厚み方向への移動が制限される。
【００１１】
好ましい実施の形態においてはさらに、上記敷物本体は、四辺を有する矩形状であるとともに、その各辺には、互いに係合可能な構成とされた第３係合部および第４係合部の一方が設けられている。
【００１２】
上記構成では、一方の敷物の第３係合部が設けられた辺と、他方の敷物の第４係合部が設けられた辺とを隣接させ、これらの係合部どうしを係合させることによって一方の敷物と他方の敷物が結合される。このように、上記構成の敷物では、複数枚を縦横に隣接配置するとともに隣接する敷物どうしを第３係合部および第４係合部によって結合し、屋内外において敷きつめて使用することができる。
【００１３】
なお、第３係合部および第４係合部どうしを係合可能とする構成としては、たとえば次の構成が考えられる。すなわち、第３係合部を敷物本体の厚み方向に貫通するループ部とし、第４係合部をループ部内に挿通可能な軸部を有する構成とすることが考えられる。そして、第４係合部としては、少なくとも軸部を有する構成とされるが、この軸部の軸方向と交差する方向に突出する係止部を設け、ループ部内に軸部を挿通した状態で係止部をループ部に係止するようにしてもよい。この構成では、より確実に各係合部どうしを係合することができる。
【００１４】
また、踏み板としては、木製あるいは樹脂製のものが好適に使用されるが、とくに、表面に木目紋が現れた木材が好適に使用される。一方、敷物本体としては、これを折り曲げ容易とすることを考慮して、軟質の合成樹脂、たとえば軟質塩化ビニル、ポリプロピレンあるいはポリエチレンなどが使用される。
【００１５】
本願発明のその他の特徴および利点は、添付図面を参照して以下に行う詳細な説明によって、より明らかとなろう。
【００１６】
【発明の実施の形態】
以下、本願発明の好ましい実施の形態を、図面を参照して具体的に説明する。なお、図１は、本願発明に係る敷物の一例を表す全体斜視図、図２は、図１の敷物を構成する踏み板を裏面側から見た全体斜視図、図３は、図１の敷物を構成する敷物本体の全体斜視図、図４は、図３のIV−IV線に沿う断面図、図５は、図３の敷物本体の折り曲げ状態を表す図、図６は、図１のVI−VI線に沿う断面図、図７は、図３の敷物本体の要部を裏面側から見た図、図８は、図１の複数枚の敷物を縦横に並べて敷きつめた状態を表す斜視図、図９および図１０は、隣接する敷物どうしの結合部分を表す図である。
【００１７】
本願発明に係る敷物１は、図１に示したように複数の取付部２０（本実施形態では４つ）が設けられた敷物本体２の各取付部２０に、踏み板３が取り付けられた構成とされている。
【００１８】
踏み板３は、図２に良く表れているようにチーク材などの木材によって全体として短冊状とされており、その表面には木目紋が現れている。そして、踏み板３の裏面側においては、その幅方向に対して互いに平行に延びるようにして一様断面を有する２つのほぞ穴３０が形成されている。
【００１９】
敷物本体２は、図３に示したように軟質の合成樹脂、たとえば軟質塩化ビニル、ポリプロピレンあるいはポリエチレンなどによって全体として矩形状に形成されており、その上面側には、周壁２１ａ，２１ｂおよび複数の仕切壁２２によって囲まれるようにして長矩形状の取付部２０が４つ並設されている。周壁２１ａ，２１ｂは、敷物本体２の四辺を構成するようにして設けられており、各取付部２０の長手方向に延びる部分２１ａが連続壁とされている一方、幅方向に延びる部分２１ｂが隣り合う取付部２０の境目において分断された非連続壁とされている。仕切壁２２は、図３および図４に良く表れているように、隣り合う取付部２０の間において、各取付部２０の長手方向に並ぶようにして一定間隔隔てて設けられているとともに、当該仕切壁２２の両サイドに溝部２２ａを形成するようにして落とし込み状に設けられており、図３および図７に良く表れているように隣り合う仕切壁２２の間が上下に貫通する連通空間２２ｂとされている。すなわち、各取付部２０の側端部には、仕切壁２２に沿うようにして長手方向に延びるようにして一連に溝が設けられた格好とされている。とくに、本実施形態では、敷物本体２が軟質樹脂によって形成されていることから、さらに容易に折り曲げることができる。そして、敷物１の踏み板３に付着した水などが、連通空間２２ｂを介して、敷物１の上面側から下面側に流れるようになされている。
【００２０】
各取付部２０には、図３に良く表れているように踏み板３のほぞ穴３０に対応して、取付部２０の幅方向に対して互いに平行に延びる２つの蟻ほぞ２３が形成されている。蟻ほぞ２３は、図６に良く表れているように、ほぞ穴３０にピッタリと係合するように、ほぞ穴３０と同様な一様断面を有するものとされている。すなわち、蟻ほぞ２３の断面形状は、その基端部側（同図の下側）の幅のほうが、その先端部側の幅よりも小さくなされている。
【００２１】
このため、踏み板３は、敷物本体２の取付部２０の幅方向に対してスライド移動可能とされているとともに、蟻ほぞ２３とほぞ穴３０とを係合させた状態では、踏み板３は、その厚み方向への移動が制限されている。そして、取付部２０が周壁２１ａ，２１ｂや仕切壁２２によって囲まれていることから、踏み板３の取り付け状態では、敷物本体２の平面方向（接線方向）への移動も制限されており、とくに、踏み板３の幅方向へのスライド移動は、通常状態では、仕切壁２２に阻害されている。一方、図５に示したように、敷物本体２は、仕切壁２２に沿って一連に設けられた溝での折り曲げが容易であるのは上記した通りである。したがって、上記した溝に沿って敷物本体２を大きく折り曲げた状態では、取付部２０の蟻ほぞ２３の延長上に仕切壁２２がない状態、すなわち踏み板３の移動が仕切壁２２に阻害されない状態を造り出すことができる。このため、本実施形態の敷物１では、敷物本体２を折り曲げない状態では踏み板３の厚み方向および平面方向（長手方向および幅方向）への移動が確実に制限されて良好に取り付けられている一方、敷物本体２を折り曲げることにより容易に踏み板３を取り付け、取り外すことができる。
【００２２】
また、図６および図７に示したように、敷物本体２の裏面側には、下方に突出する複数の支持柱２６が、格子状に配列形成されている。このため、敷物本体２を床面に載置した状態では、敷物本体２の下方に一定の空間が形成されて取付部２０が底上げされた格好となっており、当該空間は、図面上には明確に表れていないが、隣り合う仕切壁２２の間に設けられた連通空間２２ｂと繋がっている。したがって、敷物１の踏み板３に付着した水などは、連通空間２２ｂを介して上記空間、ひいては床面に達し、排除される。また、敷物本体２が上げ底状とされて敷物本体２の下部に設けられた空間は、連通空間２２ｂと通じていることから、床面に達した水は容易に蒸発させられ、床面を容易に乾燥させることができる。
【００２３】
さらに、本実施形態の敷物１では、図３や図７に示したように敷物本体２における隣り合う２辺には、当該辺から敷物本体２の平面方向に突出するようにして厚み方向に貫通するループ部２４が設けられているとともに、残りの２辺にはループ部２４と係合可能な構成とされた係合突起２５が下方に突出するようにして設けられている。
【００２４】
このような構成の敷物１は、図８に示したように、一方の敷物１におけるループ部２４が設けられた辺と、他方の敷物１における係合突起２５が設けられた辺とを隣接させるようにして複数の敷物１を縦横に並べるとともに、対応するループ部２４と係合突起２５とを互いに係合させることによって床面などに敷きつめて使用される。各ループ部２４と対応する係合突起２５との係合は、図９および図１０に示したように各ループ部２４内に対応する係合突起２５を挿通することによって行われる。これにより、１の敷物１は、この敷物１を囲むようにして配置された他の敷物１によって平面方向への移動が制限され、床面などに敷物１を敷きつめた状態を良好に維持することができる。
【００２５】
なお、本実施形態では、敷物本体の四辺にループ部や係合突起が設けられ、複数枚の敷物を縦横に並べた状態で、隣接する敷物どうしを結合して使用する敷物について説明したが、ループ部や係合突起などの係合手段を設けるか否かは選択的事項であり、また、ループ部や係合突起以外の係合手段を設けて隣接する敷物どうしを結合するように構成してもよい。
【００２６】
また、敷物本体を折り曲げ容易とし、あるいは踏み板をスライド移動可能とする構成も、本実施形態の構成に限定されず種々に設定変更可能である。
【図面の簡単な説明】
【図１】本願発明に係る敷物の一例を表す全体斜視図である。
【図２】図１の敷物を構成する踏み板を裏面側から見た全体斜視図である。
【図３】図１の敷物を構成する敷物本体の全体斜視図である。
【図４】図３のIV−IV線に沿う断面図である。
【図５】図３の敷物本体の折り曲げ状態を表す図である。
【図６】図１のVI−VI線に沿う断面図である。
【図７】図３の敷物本体の要部を裏面側から見た図である。
【図８】図１の複数枚の敷物を縦横に並べて敷きつめた状態を表す斜視図である。
【図９】図８における隣り合う敷物どうしの結合状態を説明するための図である。
【図１０】図９のＸ−Ｘ線に沿う断面図である。
【図１１】スノコとして使用される従来の敷物の一例を表す全体斜視図である。
【図１２】図１１のスノコのコーナ部を表す底面図である。
【図１３】図１２のXIII−XIII線に沿う断面図である。
【符号の説明】
１  敷物
２  敷物本体
２０  取付部
２１ａ，２１ｂ  周壁
２２  仕切壁
２２ａ  溝部
２３  蟻ほぞ（第１係合部としての）
２４  ループ部（第３係合部としての）
２５  係合突起（第４係合部としての）
３  踏み板
３０  ほぞ穴（第２係合部としての）
【図１】
0004113634.tif 000002
【図２】
0004113634.tif 000003
【図３】
0004113634.tif 000004
【図４】
0004113634.tif 000005
【図５】
0004113634.tif 000006
【図６】
0004113634.tif 000007
【図７】
0004113634.tif 000008
【図８】
0004113634.tif 000009
【図９】
0004113634.tif 000010
【図１０】
0004113634.tif 000011
【図１１】
0004113634.tif 000012
【図１２】
0004113634.tif 000013
【図１３】
0004113634.tif 000014